(57)【要約】【課題】不燃性シートにしわの発生を抑えることができ、施工性に優れるとともに、枠縁の部位を薄く形成することが可能な防煙垂れ壁を提供する。【解決手段】天井に取り付けられる防煙垂れ壁１０であって、不燃性シート１３と、該不燃性シートの四周端部のそれぞれを保持する部材１１、１２、１４、２０、３０と、を有し、保持する部材のうち、少なくとも１つは不燃性シートの張力を調整する張り調整部材２０、３０であり、張り調整部材は、不燃性シートが取り付けられ、見付け方向に移動可能なシート保持部材２２と、シート保持部材の移動の方向を導くガイド部材２１と、ガイド部材を押圧して移動させるネジである張り調整ネジ２３と、張り調整ネジが螺合して貫通する張り調整ネジ用基材２４と、を有し、張り調整ネジと張り調整ネジ用基材との螺合部は、シート保持部材より見付け方向内側に配置されている。【選択図】図２
2014054307.tif 000002
【特許請求の範囲】
【請求項１】
天井に取り付けられる防煙垂れ壁であって、
不燃性シートと、該不燃性シートの四周端部のそれぞれを保持する部材と、を有し、
前記保持する部材のうち、少なくとも１つは前記不燃性シートの張力を調整する張り調整部材であり、
前記張り調整部材は、
前記不燃性シートが取り付けられ、見付け方向に移動可能なシート保持部材と、
前記シート保持部材の移動の方向を導くガイド部材と、
前記シート保持部材を押圧して移動させるネジである張り調整ネジと、
前記張り調整ネジが螺合して貫通する張り調整ネジ用基材と、を有し、
前記張り調整ネジと前記張り調整ネジ用基材との螺合部は、前記シート保持部材より見付け方向内側に配置されている、防煙垂れ壁。
【請求項２】
前記シート保持部材は凹部を有するとともに、前記ガイド部材は突出するガイド片を具備し、
前記凹部に前記ガイド片が挿入されて前記シート保持部材の移動が導かれる請求項１に記載の防煙垂れ壁。
【請求項３】
前記張り調整ネジは、該張り調整ネジの先端のみで前記シート保持部材に当てられている請求項１又は２に記載の防煙垂れ壁。
【請求項４】
前記不燃性シートの四周端部のそれぞれを保持する部材のうち、前記天井に固定される部材は、天井に固定される上部レールと前記不燃性シートが固定される上部シート固定部材とが別部材として設けられ、
前記上部レール及び前記上部シート固定部材は、互いに引っ掛かるように係合する鉤状部を有している請求項１乃至３のいずれか１項に記載の防煙垂れ壁。
【発明の詳細な説明】
【技術分野】
【０００１】
本発明は、建物の天井部に設けられる防煙垂れ壁に関する。
【背景技術】
【０００２】
大型店舗、オフィスビル、及び公共施設等の比較的大きな建物には、その天井に防煙垂れ壁が配置されている。防煙垂れ壁は、火災時等に煙の流動を防止又は遅らせるため、天井に設けられた全体として板状に形成された部材である。
【０００３】
防煙垂れ壁は、視界を妨げないこと等の観点から従来では、天井に下地を設け、ここに網入りガラス板を嵌め込む形態であった。しかしながらガラス板は重いため、地震等で落下した場合に人に危害がおよぶ虞がある。また、天井に設置された状態で割れたり、落下した衝撃で割れたりすることも考えらえれ、ガラス片の飛散による不具合の可能性もある。
【０００４】
この問題を解決するため、例えば特許文献１に開示されているように、ガラス板に代えて不燃性のシートが用いられる垂れ壁が提案されている。特許文献１にはさらに、不燃性のシートをしわのない状態で張って天井に取り付ける端部保持具の構造（特許文献１の図４）が記載されている。
【先行技術文献】
【特許文献】
【０００５】
【特許文献１】特開２００８−２２０５０８号公報
【発明の概要】
【発明が解決しようとする課題】
【０００６】
しかしながら、特許文献１の図４に記載の機構では、繊維強化樹脂シートを取り付けたシート取付用筒体に張力調整ボルトを貫通させ、その反対側に存する中壁に螺合させる構造を有しており、施工に煩わしさを伴うものである。また、当該機構では、張力を調整する張力調整ボルトのネジ部を全て有効に利用可能とするためには、ネジ部をシート取り付け用筒体からネジ部の全部を突出させておく必要がある。従って、ネジ部の全てを常に保持具本体の内側に納めておかなくてはならないので、端部保持具は見付方向に大きくならざるを得ない構造である。端部保持具は垂れ壁の枠縁を構成するので、枠縁が厚く形成されると外観に影響を与えることから、枠縁は見付方向に薄いことが好ましい。
【０００７】
そこで本発明は、上記問題点に鑑み、不燃性シートにしわの発生を抑えることができ、施工性に優れるとともに、枠縁の部位を薄く形成することが可能な防煙垂れ壁を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、天井に取り付けられる防煙垂れ壁（１０）であって、不燃性シート（１３）と、該不燃性シートの四周端部のそれぞれを保持する部材（１１、１２、１４、２０、３０）と、を有し、保持する部材のうち、少なくとも１つは不燃性シートの張力を調整する張り調整部材（２０、３０）であり、張り調整部材は、不燃性シートが取り付けられ、見付け方向に移動可能なシート保持部材（２２）と、シート保持部材の移動の方向を導くガイド部材（２１）と、シート保持部材を押圧して移動させるネジである張り調整ネジ（２３）と、張り調整ネジが螺合して貫通する張り調整ネジ用基材（２４）と、を有し、張り調整ネジと張り調整ネジ用基材との螺合部は、シート保持部材より見付け方向内側に配置されている、防煙垂れ壁である。
【００１０】
請求項２に記載の発明は、請求項１に記載の防煙垂れ壁（１０）において、シート保持部材（２２）は凹部を有するとともに、ガイド部材（２１）は突出するガイド片（２１ｄ）を具備し、凹部にガイド片が挿入されてシート保持部材の移動が導かれる。
【００１１】
請求項３に記載の発明は、請求項１又は２に記載の防煙垂れ壁（１０）において、張り調整ネジ（２３）は、該張り調整ネジの先端のみでシート保持部材に当てられている。
【００１２】
請求項４に記載の発明は、請求項１乃至３のいずれか１項に記載の防煙垂れ壁（１０）において、不燃性シート（１３）の四周端部のそれぞれを保持する部材のうち、天井に固定される部材は、天井に固定される上部レール（１１）と不燃性シートが固定される上部シート固定部材（１４）とが別部材として設けられ、上部レール及び上部シート固定部材は、互いに引っ掛かるように係合する鉤状部（１１ｅ、１５ｄ）を有している。
【発明の効果】
【００１３】
本発明によれば、不燃性シートを具備する防煙垂れ壁において、不燃性シートのしわを解消する機構を具備するとともに、施工性に優れ、枠縁の部分を構成する部材の特に見付方向を薄く形成することができる。
【図面の簡単な説明】
【００１４】
【図１】１つの実施形態に係る防煙垂れ壁１０が建物に設置された場面を正面視した図である。
【図２】図１にＩＩ−ＩＩで示した線に沿った断面である。
【図３】図１にＩＩＩ−ＩＩＩで示した線に沿った断面のうち一方の端部に注目して示した図である。
【図４】防煙垂れ壁１０の組み立ての一場面を説明する図である。
【図５】防煙垂れ壁の他の例を説明する図である。
【図６】他の実施形態を説明する図である。
【図７】図６にＶＩＩ−ＶＩＩで示した線に沿った断面図である。
【発明を実施するための形態】
【００１５】
本発明の上記した作用及び利得は、次に説明する発明を実施するための形態から明らかにされる。以下本発明を図面に示す実施形態に基づき説明する。しかし本発明は当該実施形態に限定されるものではない。
【００１６】
図１は１つの実施形態にかかる防煙垂れ壁１０が天井に設置された場面の正面図である。図２は、図１にＩＩ−ＩＩで示した線に沿った断面図であり、防煙垂れ壁１０の鉛直方向断面図である。図３は図１にＩＩＩ−ＩＩＩで示した線に沿った断面図のうち、一方の端部（図１の左側の端部）に注目して示した断面図である。
【００１７】
図１からわかるように、防煙垂れ壁１０は、天井、壁や柱（以下「壁等」と記載する。）及び床に囲まれた領域のうち、少なくとも天井に固定される。本発明の防煙垂れ壁も、設置される場所は公知の防煙垂れ壁と同様である。
図１〜図３に表れるように、防煙垂れ壁１０は、上部レール１１、縦レール１２、不燃性シート１３、上部シート固定部材１４、張り調整部材２０、３０、及び化粧材１８を備えている。
図１からわかるように、上部レール１１、縦レール１２、上部シート固定部材１４、張り調整部材２０、３０、及び化粧材１８により防煙垂れ壁１０の枠縁部分が形成されている。
【００１８】
上部レール１１は、図２からわかるように、天井に具備された下地に固定部材１１ａにより固定される部材であり、図２に示した断面を有して水平方向に延びている。上部レール１１は、図２に表れる断面において、下地に面して重ねて配置される片１１ｂを具備し、当該片１１ｂが固定部材１１ａにより固定される。また片１１ｂの見込み方向両端部からは垂下するように２つの片１１ｃ、１１ｄが設けられ、片１１ｄの先端にはＵ字状に折り曲げられた鉤状部１１ｅが形成されている。
【００１９】
縦レール１２は、図３からわかるように、壁等の躯体に固定部材１２ａにより固定される部材であり、図３に示した断面を有して鉛直方向に延びている。当該鉛直方向の一端は上部レール１１の長手方向端部に連結されている。従って図１からわかるように縦レール１２は上部レール１１の長手方向両端部のそれぞれに配置されている。
縦レール１２は、図３に表れる断面において、壁等に面して重ねて配置される片１２ｂを具備し、当該片１２ｂが固定部材１２ａにより壁等に固定される。また片１２ｂの見込み方向両端部からは壁等から離隔する方向に延びる２つの片１２ｃ、１２ｄが設けられている。後述するように片１２ｃと片１２ｄとの間に張り調整部材３０が配置される。
【００２０】
上部レール１１、及び縦レール１２は、加工性の優れているアルミニウムやステンレス鋼等の不燃材料により形成されることが好ましい。これにより強度及び耐熱性を確保することができ、火災や地震等の災害にも耐え得るものとなる。
【００２１】
不燃性シート１３は、不燃試験認定を受けた不燃材料からなり、火災時に煙を遮断し、周囲への拡散を防ぐために張られる面材であり、所定の強度と不燃性とを有するシート状の部材である。またガラス板のように割れることのない材料により構成されている。このような不燃性シートは防煙垂れ壁に用いられる公知の不燃性シートを適用することができる。これには例えばガラス繊維強化樹脂シート（いわゆるガラスクロス。）を塩化ビニルでコーティングしたシートが挙げられる。
不燃性シート１３は視界を良好とする観点からは透明であることが好ましいが、必ずしも透明である必要はなく、半透明や不透明であることを妨げるものではない。
不燃性シート１３の保持については、以下の各部材の説明をする際に併せて述べる。
【００２２】
上部シート固定部材１４は、図２からわかるように、上部レール１１に取り付けられるとともに、不燃性シート１３のうち天井側に配置される上端部を固定して保持する部材である。本実施形態では上部シート固定部材１４は、上部取り付け材１５及びシート押さえ１６を備えている。
【００２３】
上部取り付け材１５は、図２に示した断面を有して上部レール１１の長手方向に沿って延びている。上部取り付け材１５は、図２に表れる断面において見込み方向に延びる片１５ａを具備し、該片１５ａの見込み方向両端のそれぞれから上部レール１１に向けて延びる片１５ｂ、１５ｃを備えている。
片１５ｂは、上部レール１１の片１１ｃに重ねられ、固定部材１５ｅにより固定されている。
片１５ｃには、その先端がＵ字状に折り曲げられた鉤状部１５ｄが形成されている。鉤状部１５ｄが上部レール１１の鉤状部１１ｅに引っ掛かるように係合している。
上部取り付け材１５の上部レール１１への取り付け手順については後で説明する。
【００２４】
シート押さえ１６は、図２からわかるように板状の部材であり、上部取り付け材１５の片１５ａに板面を重ねるように配置され、その間に不燃性シート１３の上端部を挟む。片１５ａとシート押さえ１６とは固定部材１６ａにより固定される。
これにより不燃性シート１３の上端が保持される。
【００２５】
張り調整部材２０は、不燃性シート１３の下端部を保持するとともに、不燃性シート１３に鉛直方向の張力を調整する機構を備えている。すなわち、張り調整部材２０により、不燃性シート１３の下端が保持され、さらに張力を調整することによりしわを解消することが可能となる。
張り調整部材２０は、図１、図２からわかるように、上部シート固定部材１４に対して所定の間隔を有して、該上部固定部材１４と略平行に具備される部材であり、図２に示した断面を有して水平方向に延びている。当該水平方向の両端のそれぞれは２つの縦レール１２のそれぞれの長手方向端部に連結されている。
張り調整部材２０は、図２からわかるように、ガイド部材２１、シート保持部材２２、張り調整ネジ２３、及び張り調整ネジ用基材２４を備えている。
【００２６】
ガイド部材２１は、図２に表れる断面において略コ字状の部材であり、見込み方向に延びる片２１ａ、及び片２１ａの見込み方向両端のそれぞれから上部シート固定部材１４側に向けて延びる片２１ｂ、２１ｃを具備している。さらにガイド部材２１には、片２１ｂと片２１ｃとの間に片２１ａから立設するガイド片２１ｄが設けられている。
【００２７】
シート保持部材２２は、図２に表れる断面において略コ字状の部材であり、見込み方向に延びる片２２ａ、及び片２２ａの見込み方向両端のそれぞれからガイド部材２１の片２１ａ側に向けて延びる片２２ｂ、２２ｃを具備している。さらにシート保持部材２２には、片２２ｂと片２２ｃとの間に、片２２ａから２つの片２２ｄ、２２ｅが所定の間隔を有して片２２ｂ、２２ｃに平行に延びている。これにより片２２ｂ、２２ｄ、２２ｅ、２２ｃの各間には凹部が形成される。
また、シート保持部材２２の片２２ｂの外面には不燃性シート１３の下端が接着剤又は両面テープにより接着されている。その際、不燃性シート１３は、該不燃性シート１３の上端部側が片２２ｂ、２２ｃ、２２ｄ、２２ｅが延びる方向とは反対側となるように取り付けられる。これにより不燃性シート１３の下端が保持される。
【００２８】
張り調整ネジ２３は、その外周面にネジ部が形成されたネジ部材である。
【００２９】
張り調整ネジ用基材２４は、張り調整ネジ２３が螺合するベースとなる部材である。張り調整ネジ用基材２４は、図２に表れる断面においてＬ字状であり、２つの片２４ａ、２４ｂが直角に組み合わされている。ここで一方の片２４ｂには、上記張り調整ネジ２３が螺合可能に形成された貫通孔２４ｃが設けられている。
【００３０】
以上の説明したガイド部材２１、シート保持部材２２、張り調整ネジ２３、及び張り調整ネジ用基材２４は次のように組み合わされて張り調整部材２０とされている。
図２からわかるように、ガイド部材２１の片２１ｂ、２１ｃの間にシート保持部材２２が配置される。このとき、片２２ａが上部シート固定部材１４側（上側）となり、片２２ｂ、２２ｃ、２２ｄ、２２ｅが下方に向けて垂下する向きとされる。また、その際には片２２ｅと片２２ｃとの間に形成される凹部に対してガイド片２１ｄが挿入される。この姿勢によれば不燃性シート１３の上端側が適切に上部シート固定部材１４側に延びる。
張り調整ネジ用基材２４については、その一方の片２４ａの面がガイド部材２１の片２１ｃの内側の面に重なるように配置され、不図示の固定部材により固定されている。このとき、他方の片２４ｂは、上部シート固定部材１４側に対向する見込み面を形成する向きとされ、片２４ｂがシート保持部材２２を上から覆うように配置される。その際には貫通孔２４ｃがシート保持部材２２の片２２ａの直上に位置づけられる。
張り調整ネジ２３が、貫通孔２４ｃに螺合されるとともに貫通孔２４ｃを貫通してその先端がシート保持部材２２の片２２ａに接触される。
【００３１】
張り調整部材３０は、不燃性シート１３の左右端部を保持するとともに、不燃性シート１３に水平方向の張力を調整する機構を備えている。すなわち、張り調整部材３０により、不燃性シート１３の左右端が保持されるとともに、さらに張力を調整することによりしわを解消することが可能となる。
張り調整部材３０は、図１、図３からわかるように、縦レール１２の片１２ｃと片１２ｄとの間に配置される部材であり、図３に示した断面を有して縦レール１２の長手方向に沿って鉛直方向に延びている。
【００３２】
張り調整部材３０は、図３からわかるように、ガイド部材３１、シート保持部材３２、張り調整ネジ３３、及び張り調整ネジ用基材３４を備えている。各部材の基本的構造及びその配置は、水平方向と鉛直方向との違いはあるものの張り調整部材２０と同様である。ただし、張り調整部材３０のガイド部材３１には、縦レール１２の片１２ｃ、１２ｄの内側に沿って延びる片３１ｅ、３１ｆが設けられ、片１２ｃと片３１ｅとが不図示の固定部材により固定され、片１２ｄと片３１ｆとが不図示の固定部材により固定される。これにより縦レール１２に張り調整部材３０が取り付けられる。
【００３３】
上部シート固定部材１４、張り調整部材２０、３０を構成する各部材は、アルミニウムやステンレス鋼等の不燃材料により形成されることが好ましい。これにより強度及び耐熱性を確保することができ、火災や地震等の災害にも耐えうるものとなる。
【００３４】
化粧材１８は、図２からわかるようにガイド部材２１を外側から覆うように配置される装飾用部材であり、特に限定されることなく必要に応じた装飾のための手段が適用される。
【００３５】
以上のような各構成部材は、上記説明の中で述べたように組み合わせられて防煙垂れ壁１０とされているが、上部レール１１と上部シート固定部材１４とは次のように組み立てられる。図４に説明のための図を示した。
天井の下地に上部レール１１を固定し、該上部レール１１の鉤状部１１ｅに対し、上部シート固定部材１４を傾けた姿勢で、該上部シート固定部材１４の鉤状部１５ｄを引っ掛ける。次に図４に矢印ＩＶで示したように引っ掛けた状態を維持して回転させ、片１１ｃの面と片１５ｂの面とを重ねる。そして固定部材１５ｅにより両片を固定する。このような取付構造によれば、防煙垂れ壁全体を直接に天井の下地に取り付ける構造に対して、作業が容易となる。
【００３６】
以上説明した防煙垂れ壁１０は次のように作用する。
防煙垂れ壁１０は、防煙垂れ壁としての基本的機能を有し、面材としてガラス板を用いていないので、割れや破片による二次的な損害を防止することができる。
【００３７】
また、張り調整部材２０、３０によれば、張り調整ネジ２３、３３を回転させることによりシート保持部材２２、３２をガイド部材２１、３１に沿って移動させ、シート保持部材２２、３２に固定された不燃性シート１３の端部を移動させることができるので、不燃性シート１３の張りを調整してしわを解消させることが可能である。
ここで、張り調整部材２０、３０の構造では、張り調整ネジ２３、３３と張り調整ネジ用基材２４、３４の螺合部がシート保持部材２２、３２よりも見付け方向で内側に配置されているので、張り調整部材２０、３０を組み立てる際に、張り調整ネジ２３、３３を貫通孔２４ｃに螺合することが容易であり施工性に優れる。例えば特許文献１に記載のような構造では、繊維強化樹脂シートを取り付けたシート取付用筒体に張力調整ボルトを貫通させ、その反対側に存する中壁２３ａ（見付け方向外側）に螺合させる構造を有しており、当該螺合を見えない状況で行う必要があり、必ずしも施工が容易であるとはいえなかった。
【００３８】
さらに、張り調整部材２０、３０の構造では、張り調整ネジ２３、３３のネジ部の必ずしも全てをガイド部材２１、３１の内側に配置する必要がないので、ガイド部材２１、３１の見付面の大きさを細くすることができる。例えば特許文献１に記載のような構造では、ガイド部材として機能する保持具本体の内側に張力調整ボルトのネジ部の全てを納める必要があり、見付け面が太くならざるを得なかった。
【００３９】
そして、張り調節ネジ２３、３３のネジ部は、張り調節部材２０、３０よりも見付け方向内側に突出しているので、防煙垂れ壁１０を設置した後にも該防煙垂れ壁１０を取り外すことなく不燃性シート１３の張りを調節できる。
【００４０】
また、張り調整部材２０、３０では、張り調整ネジ２３、３３はシート保持部材２２、３２に突き当てて接しているのみなので、シート保持部材２２、３２はその長手方向には移動が許容されており、しわの解消がより効果的に行われる。
【００４１】
本実施形態のように張り調整ネジ２３、３３を縦横複数の枠縁部分に設ければ、しわの解消をより簡易に行うことができる。ただし、必ずしも張り調整ネジ２３、３３は複数設ける必要はなく、少なくとも１つ具備されていればよい。
【００４２】
また本実施形態では、縦方向の枠縁部分のそれぞれについて、対向するように２つの張り調整部材３０を設けた例を説明したが、いずれか一方であってもよい。ただし、対向するように２つの張り調整部材を設けることにより１つあたりの調整移動量を減らすことができる。
【００４３】
図５には他の例を説明する図を示した。図５は図２と同じ視点で張り調整部材２０’の部位を拡大した図である。本例では、張り調整部材２０の代わりに張り調整部材２０’を適用したのみであり、他の部位については上記説明した通りである。
【００４４】
張り調整部材２０’では、シート保持部材２２に代えてシート保持部材２２’を備えている。シート保持部材２２’は、図５に表れる断面において略コ字状の部材であり、見込み方向に延びる片２２’ａ、及び片２２’ａの見込み方向両端のそれぞれからガイド部材２１の片２１ａ側に向けて延びる片２２’ｂ、２２’ｃを具備している。
また、シート保持部材２２’の片２２’ｂの外面には不燃性シート１３の下端が接着剤又は両面テープにより接着されている。その際、不燃性シート１３は、該不燃性シート１３の上端部側が片２２’ｂ、２２’ｃが延びる方向とは反対側に延びるように取り付けられる。これにより不燃性シート１３の下端が保持される。
そして本例では片２２’ｂ及び片２２’ｃがガイド部材２１の片２１ｂとガイド片２２ｄの間に配置される。従って本例ではシート保持部材２２’の外周面によりガイドされている。このような張り調整部材２０’を備える防煙垂れ壁も上記と同様の効果を奏するものとなる。
【００４５】
図６、図７には他の実施形態を説明する図を示した。図６は図１に相当する図、図７は図６にＶＩＩ−ＶＩＩで示した線に沿った水平方向断面図である。これら図から明らかなように、本実施形態では２つの防煙垂れ壁１０、１０が左右に並べられ、向かい合う端部同士が連結された態様である。それぞれの防煙垂れ壁１０、１０の基本的な構造は上記説明した防煙垂れ壁１０と同様である。
２つの防煙垂れ壁１０、１０の連結部は図７からわかるように縦レールを兼ねる連結部材４０により一体とされている。連結部材４０はそれぞれの縦レールを構成するように、Ｈ型断面を有しており、形成される２つの溝によりそれぞれの防煙垂れ壁１０、１０の縦レールとして機能する。
また、本実施形態では化粧材１８は、図６からわかるように連結部の下端部を隠蔽する部材としても機能する。
【符号の説明】
【００４６】
１０  防煙垂れ壁
１１  上部レール
１２  縦レール
１３  不燃性シート
１４  上部シート固定部材
１８  化粧材
２０  張り調整部材
２１  ガイド部材
２２  シート保持部材
２３  張り調整ネジ
２４  張り調整ネジ用基材
３０  張り調整部材
【図１】
2014054307.tif 000003
【図２】
2014054307.tif 000004
【図３】
2014054307.tif 000005
【図４】
2014054307.tif 000006
【図５】
2014054307.tif 000007
【図６】
2014054307.tif 000008
【図７】
2014054307.tif 000009